(57)【要約】【課題】配線設備の経路の特定を容易かつ正確に行うことを可能とする。【解決手段】ハブＨ１〜Ｈ３やケーブルＣ１〜Ｃ４のような通信設備に、ＩＣタグ１を取り付けておく。ＩＣタグ１には固有のタグＩＤを付与しておき、またこのタグＩＤを示したＩＤ通知を無線送信する機能を備える。ＩＣタグリーダ３により、所定の通信範囲内に存在するＩＣタグ１が送信するＩＤ通知を収集する。ＩＣタグリーダ３は、収集したＩＤ通知に示されるタグＩＤに基づいて、配線管理用データベース４に記憶された情報を参照して上記の通信範囲内に存在する通信設備を特定し、それをユーザに対して通知する。【選択図】　　図１
2004038583.tif 000002
【特許請求の範囲】
【請求項１】
通信網の配線経路を管理するための配線経路管理システムにおいて、
前記通信網を構成する通信設備のそれぞれに取り付けられ、固有のＩＤ情報を無線送信する機能を備えたタグと、
前記タグのそれぞれのＩＤ情報とそのタグが取り付けられている通信設備を識別するための所定の設備情報とを対応付けて記憶する設備情報記憶手段と、
所定の第１通信範囲内に存在するタグから無線送信されるＩＤ情報を受信する第１ＩＤ受信手段と、
この第１ＩＤ受信手段により受信されたＩＤ情報およびこのＩＤ情報に対応付けて前記設備情報記憶手段に記憶されている前記設備情報に基づいて、前記通信範囲内に存在する通信設備をユーザに認識させるための所定の通知動作を行う通知手段とを具備した配線経路管理システム。
【請求項２】
前記通信網を構成する通信設備どうしの接続関係を示した接続情報を記憶する接続情報記憶手段を備え、
かつ前記通知手段は、前記接続情報記憶手段に記憶されている前記接続情報に基づいて、前記第１通信範囲内に存在する通信設備の接続関係をユーザに認識させるための所定の通知動作を行う請求項１に記載の配線経路管理システム。
【請求項３】
前記タグが同一の通信設備に対して複数が取り付けられる場合には、前記設備情報記憶手段はそれらのタグの取り付け位置の連続性を識別する連番情報を記憶し、
かつ前記通知手段は、前記第１通信範囲内に存在する通信設備の接続関係を前記連番情報から識別される連続性をもユーザに認識させる所定の通知動作を行う請求項２に記載の配線経路管理システム。
【請求項４】
前記タグは、
ＩＤ情報を記憶するＩＤ記憶手段と、
ＩＤ情報の書き込み指示を受信する書き込み指示受信手段と、
この書き込み指示受信手段により受信された前記書き込み指示に示されたＩＤ情報を前記ＩＤ記憶手段に書き込む書込み手段と、
前記ＩＤ記憶手段に記憶されているＩＤ情報を無線送信するＩＤ送信手段とを具備し、
さらに、固有のＩＤ情報を生成する生成手段と、
この生成手段により生成されたＩＤ情報を示した前記書き込み指示を無線送信する書き込み指示送信手段と、
この書き込み指示送信手段が送信する前記書き込み指示によりＩＤ情報の書き込みを行うタグが取り付けられる通信設備に関する前記設備情報を取得する取得手段と、
この取得手段により取得された前記設備情報と前記書き込み指示送信手段が送信する前記書き込み指示に示されるＩＤ情報とを対応付けて設備情報記憶手段に記憶させる設備情報登録手段とを具備した請求項１に記載の配線経路管理システム。
【請求項５】
固有のＩＤ情報を無線送信する機能を備えたタグが取り付けられた通信設備により構成された通信網の配線経路を探索するもので、前記タグのそれぞれのＩＤ情報とそのタグが取り付けられている通信設備を識別するための所定の設備情報とを対応付けて記憶する設備情報記憶手段にアクセスすることが可能な配線経路探索装置において、
所定の第１通信範囲内に存在する前記タグから無線送信されるＩＤ情報を受信する第１ＩＤ受信手段と、
この第１ＩＤ受信手段により受信されたＩＤ情報およびこのＩＤ情報に対応付けて前記設備情報記憶手段に記憶されている前記設備情報に基づいて、前記通信範囲内に存在する通信設備をユーザに認識させるための所定の通知動作を行う通知手段とを具備した配線経路探索装置。
【請求項６】
通信設備の指定を受け付ける受付手段を備え、
かつ前記通知手段は、前記接続情報記憶手段に記憶されている前記接続情報に基づいて、前記受付手段により受け付けた指定に示される通信設備およびこの通信設備に対して所定の関連性を有する通信設備の接続関係をユーザに認識させるとともに、これらの通信設備のうちで前記第１通信範囲内に存在する通信設備がいずれであるかをユーザに認識させるための所定の通知動作を行うことを特徴とする請求項５に記載の配線経路探索装置。
【請求項７】
所定の第２通信範囲内に存在するタグから無線送信されるＩＤ情報を受信する第２ＩＤ受信手段を備え、
かつ前記受付手段は、通信設備を特定する情報の指定を行う旨の指定がなされた際に前記第２ＩＤ受信手段により受信されるＩＤ情報を通信設備を特定する情報として取得する請求項６に記載の配線経路探索装置。
【請求項８】
前記受付手段は、前記設備情報記憶手段に記憶されている前記設備情報に基づいて通信設備の一覧を表示し、この表示した一覧からの通信設備の選択指定を受け付ける請求項６に記載の配線経路探索装置。
【請求項９】
前記第１ＩＤ受信手段により受信されたＩＤ情報を送信したタグの位置を検出する検出手段を備え、
かつ前記通知手段は、前記検出手段により検出された位置をユーザに認識させる所定の通知動作を行う請求項５に記載の配線経路探索装置。
【請求項１０】
前記通知手段は前記通知動作として、前記通信網が配設されている場所の図面における前記検出手段により検出された位置に相当する位置に通信設備が存在する旨を示した画像を表示する請求項９に記載の配線経路探索装置。
【請求項１１】
前記請求項１に記載の配線経路管理システムにて利用されるＩＤ書き込み装置において、
固有のＩＤ情報を生成する生成手段と、
この生成手段により生成されたＩＤ情報を示した書き込み指示を無線送信する書き込み指示送信手段と、
この書き込み指示送信手段が送信する前記書き込み指示によりＩＤ情報の書き込みを行うタグを取り付ける通信設備に関する前記設備情報を取得する取得手段と、
この取得手段により取得された前記設備情報と前記書き込み指示送信手段が送信する前記書き込み指示に示されるＩＤ情報とを対応付けて設備情報記憶手段に記憶させる設備情報登録手段とを具備したＩＤ書き込み装置。
【発明の詳細な説明】
【０００１】
【発明の属する技術分野】
本発明は、ビル構内および宅内などにおける配線設備の経路を特定する配線経路管理システムと、そのシステムで使用される配線経路探索装置およびＩＤ書き込み装置に関する。
【０００２】
【従来の技術】
従来、ビル構内や宅内で敷設される配線設備は、配線設備自体の改良、あるいは接続される機器の追加およびレイアウト変更などにともなって頻繁に変更され得る。
【０００３】
しかしながら、上記の配線設備は、使用時の美観を考慮して、床下や天井裏等、人目に触れないような場所に敷設されることが多い。このため、配線設備の変更を、実際に配線設備の構成を現物から確認しながら行うことは困難である。
【０００４】
従って、配線設備の運用、保守を効率的に行うためには、配線管理を行う必要がある。
【０００５】
ビル構内や宅内での配線管理には、図面を用いる方法や、Ｃａｂｌｅ　Ｍａｎａｇｅｍｅｎｔ　Ｓｙｓｔｅｍ（ＣＭＳ）と呼ばれる配線管理ソフトウェアを用いる方法が知られている。
【０００６】
配線管理ソフトウェアではさまざまな機能が提供されている。例を挙げると、設備の属性や設備同士の接続関係あるいは設備変更時などの施工計画等のデータベース機能、設計時に使用されるＡｕｔｏＣＡＤ等からのフロア図面や設備の設計図面をデータベース内に取り込む機能、取り込んだデータを利用して２Ｄ表示や３Ｄ表示をする機能、複数のケーブルを１箇所に成端する部材（パッチパネルと呼ばれる）に取り付けたセンサと連携して自動的に設備の接続関係についてデータベースを自動更新する機能、あるいは逆にパッチパネルに取り付けられたＬＥＤなどの表示器に、あらかじめデータベースに登録された施工計画に基づき接続の順番を表示するといった施工支援機能といったものがある。
【０００７】
【発明が解決しようとする課題】
上記のいずれの方法にしても、基本は配線図面の情報に基づく管理を行うものである。そしてこの管理に用いられる配線図面は、設計時に作られたフロア図面に記入されるものや、配線管理システム等に保存されているＣＡＤデータなどがある。これらは基本的に設備の設計段階に決定された図面に基づいて作成されたものである。
【０００８】
しかしながら、実際の施工は完全に設計通りに行われるとは限らず、配線図面と実際に施工された設備とが相違するという事態が発生することがある。施工時に発生したこの相違を修正するためには、設備形態に合わせて配線図面を修正する必要がある。
【０００９】
また、導入時の施工後に配線経路が変更された場合にも、配線図面と実際の設備とが相違することとなる。この相違を修正するためには、配線経路の変更を行う度に配線図面を修正する必要がある。
【００１０】
このような配線図面の修正は、人手によって行われる。配線管理ソフトウェアを用いた場合、ある程度は自動化されるが、データ投入は人手により行わなければならない。このため、配線管理には非常な手間を要する。
【００１１】
また配線図面の修正のほとんどを人手に頼ることから、修正ミスや修正漏れなどの人為的なミスが発生する恐れもある。そしてこのようなミスが発生した場合には、実際の設備と相違した配線図面により配線経路の管理が行われることになってしまう。
【００１２】
この結果、配線経路の管理情報が現実と異なるものとなり、設備の施工や保守、故障修理を行う現場で、実際の配線経路や設備の接続関係を正しく把握することができなくなってしまう。また、使用されているケーブルと使用されていないケーブルを判断できなくなり、使われなくなった配線が残され、配線経路を占有することもあった。
【００１３】
本発明はこのような事情を考慮してなされたものであり、その目的とするところは、配線設備の経路の特定を容易かつ正確に行うことを可能とすることにある。
【００１４】
【課題を解決するための手段】
以上の目的を達成するために本発明は、通信網を構成する通信設備のそれぞれに、固有のＩＤ情報を無線送信する機能を備えたタグを取り付けておく。これらのタグのそれぞれのＩＤ情報とそのタグが取り付けられている通信設備を識別するための所定の設備情報とを対応付けて設備情報記憶手段に記憶しておく。そして、所定の第１通信範囲内に存在するタグから無線送信されるＩＤ情報を第１ＩＤ受信手段により受信し、この受信されたＩＤ情報およびこのＩＤ情報に対応付けて前記設備情報記憶手段に記憶されている前記設備情報に基づいて、前記通信範囲内に存在する通信設備をユーザに認識させるための所定の通知動作を通知手段により行うこととした。
【００１５】
このような手段を講じたことにより、第１ＩＤ受信手段を基準とする第１通信範囲内に存在するタグが検出され、このタグと通信設備との対応関係から上記の第１通信範囲内に存在する通信設備が判定されてユーザに通知される。従って、ユーザは、この通知に基づいて第１通信範囲内に存在する通信設備を認識することができる。このため、ユーザが第１ＩＤ受信手段を移動させながら、第１通信範囲内に存在する通信設備の変化を監視することにより、通信設備の配置状況、すなわち配線経路を実際に通信設備を目視することなしに特定することが可能となる。
【００１６】
【発明の実施の形態】
以下、図面を参照して本発明の実施形態につき説明する。
【００１７】
（第１の実施形態）
図１は第１実施形態に係る配線経路管理システムの概要を示す図である。
【００１８】
この図に示すように配線経路管理システムは、複数のＩＣタグ１、ＩＣタグライタ２、ＩＣタグリーダ３および配線管理用データベース４を有している。
【００１９】
そしてこの配線経路管理システムは、通信網に適用され、配線経路を管理するために使用される。図１の配線経路管理システムは、ＬＡＮの配線経路を管理するために適用された例となっている。ハブＨ１，Ｈ２，Ｈ３およびケーブルＣ１，Ｃ２，Ｃ３，Ｃ４は、配線経路管理システムが適用されているＬＡＮを構成している通信設備である。
【００２０】
ＩＣタグ１は、ＩＣチップを埋め込んだ小型のタグである。このＩＣタグ１は、通信設備に貼り付けられる。
【００２１】
ＩＣタグライタ２およびＩＣタグリーダ３は、ＩＣタグ１と無線通信を行う。ＩＣタグライタ２は、ＩＣタグ１に固有のＩＤ情報（以下、タグＩＤと称する）を書き込む。ＩＣタグリーダ３は、ＩＣタグ１からタグＩＤを読み取る。
【００２２】
配線管理用データベース４は、配線管理のための各種の情報を記憶しておく。この配線管理用データベース４は、ＩＣタグライタ２およびＩＣタグリーダ３から必要に応じてアクセスされる。
【００２３】
図２はＩＣタグ１のブロック図である。
【００２４】
この図２に示すようにＩＣタグ１は、送受信部１１、ＩＣタグ制御部１２および電源部１３を有している。
【００２５】
送受信部１１は、ＩＣタグライタ２やＩＣタグリーダ３と無線通信を行う。
【００２６】
ＩＣタグ制御部１２は、例えばマイクロコンピュータを主体としてなる。ＩＣタグ制御部１２は、データテーブル部１２ａ、書き込み指示取得部１２ｂ、データ書き込み部１２ｃおよびＩＤ送信部１２ｄとして機能する。
【００２７】
データテーブル部１２ａは、タグＩＤを記憶する。書き込み指示取得部１２ｂは、ＩＣタグライタ２から送信されるタグＩＤの書き込み指示を送受信部１１を介して取得する。データ書き込み部１２ｃは、書き込み指示取得部１２ｂにより上記の書き込み指示が取得されたことに応じて、その書き込み指示に示されるタグＩＤをデータテーブル部１２ａに書き込む。ＩＤ送信部１２ｄは、ＩＣタグリーダ３から送信される通知要求が送受信部１１により受信されたことに応じて、データテーブル部１２ａに記憶されているタグＩＤを読み込んで、このタグＩＤを示しＩＤ通知を送受信部１１を介して送信する。
【００２８】
電源部１３は、例えば乾電池などの二次電池から得られる電力から送受信部１１およびＩＣタグ制御部１２を動作させるための電力を生成する。電源部１３は、この生成した電力を送受信部１１およびＩＣタグ制御部１２に供給する。
【００２９】
図３はＩＣタグライタ２のブロック図である。
【００３０】
この図３に示すようにＩＣタグライタ２は、送受信部２１、データベース（ＤＢ）アクセス部２２、表示部２３、入力部２４およびライタ制御部２５を有している。そしてこれらの各部はバス接続されている。
【００３１】
送受信部２１は、ＩＣタグ１と無線通信を行う。
【００３２】
データベースアクセス部２２は、例えば図示しないネットワークを介して配線管理用データベース４にアクセスする。
【００３３】
表示部２３は、例えばＬＣＤなどを有しており、ユーザに対して様々な情報を表示する。
【００３４】
入力部２４は複数のキーなどを有しており、ユーザによる指示入力を受け付ける。
【００３５】
ライタ制御部２５は、例えばマイクロコンピュータを主体としてなる。ライタ制御部２５は予め組み込まれているプログラムに基づく処理を行うことで、タグＩＤ生成部２５ａ、書き込み指示制御部２５ｂ、設備情報取得部２５ｃおよび設備情報登録部２５ｄとして機能する。
【００３６】
タグＩＤ生成部２５ａは、ＩＣタグ１に書き込むべき固有のタグＩＤを生成する。書き込み指示制御部２５ｂは、タグＩＤ生成部２５ａにより生成されたタグＩＤの書き込みを指示する書き込み指示を送受信部２１を介してＩＣタグ１へと送信する。設備情報取得部２５ｃは、タグＩＤの書き込みを行ったＩＣタグ１が貼り付けられる通信設備に関する設備情報を取得する。そして設備情報登録部２５ｄは、タグＩＤ生成部２５ａにより生成されたタグＩＤと設備情報取得部２５ｃにより取得された設備情報とを対応付けたデータレコードを、配線管理用データベース４に用意される所定のデータベースに登録する。
【００３７】
図４はＩＣタグリーダ３のブロック図である。
【００３８】
この図４に示すようにＩＣタグリーダ３は、送受信部３１、データベース（ＤＢ）アクセス部３２、表示部３３、入力部３４およびリーダ制御部３５を有している。そしてこれらの各部はバス接続されている。
【００３９】
送受信部３１は、ＩＣタグ１と無線通信を行う。
【００４０】
データベースアクセス部３２は、例えば図示しないネットワークを介して配線管理用データベース４にアクセスする。
【００４１】
表示部３３は、例えばＬＣＤなどを有しており、ユーザに対して様々な情報を表示する。
【００４２】
入力部３４は複数のキーなどを有しており、ユーザによる指示入力を受け付ける。
【００４３】
リーダ制御部３５は、例えばマイクロコンピュータを主体としてなる。リーダ制御部３５は予め組み込まれているプログラムに基づく処理を行うことで、特定タグＩＤ読取部３５ａ、設備ＩＤ指定受付部３５ｂ、タグＩＤ収集部３５ｃおよび探索結果通知制御部３５ｄとして機能する。
【００４４】
特定タグＩＤ読取部３５ａは、このＩＣタグリーダ３に接触する程度まで近接されているＩＣタグ１に限定してそのタグＩＤを読み取る。設備ＩＤ指定受付部３５ｂは、ユーザが経路探索のきっかけとする通信設備に付与された設備ＩＤの指定を受け付ける。タグＩＤ収集部３５ｃは、所定の探索範囲内に存在する全てのＩＣタグ１からタグＩＤを収集する。そして探索結果通知制御部３５ｄは、タグＩＤ収集部３５ｃにより収集されたタグＩＤに基づいて探索範囲内に存在する通信設備を特定し、それをユーザに通知するための処理を行う。
【００４５】
図５は配線管理用データベース４の構成を模式的に示す図である。
【００４６】
この図５に示すように配線管理用データベース４には、設備ＩＤ情報データベース４１、接続情報データベース４２、タグＩＤ情報データベース４３およびフロア図面情報データベース４４が設定されている。
【００４７】
図６は設備ＩＤ情報データベース４１の構成例を示す図である。
【００４８】
この図６に示すように設備ＩＤ情報データベース４１は、設備ＩＤ、設備種別、型番、施工年月日および特記事項を記述したデータレコードの集合である。
【００４９】
設備ＩＤは、ケーブルや接続物品（バス配線の場合マルチ接続は接続物品とする）などの個々の通信設備を一意に識別するためのＩＤである。設備ＩＤは、例えば通信網の管理者により例えば通信網の設計時に付与される。設備種別は、通信設備の種類をユーザが識別するための情報である。型番は、通信設備に予め付与されている番号である。施工年月日は、通信設備をネットワークに接続した年月日である。特記事項は、通信設備をユーザが特定するための任意の付帯情報である。
【００５０】
このように、上記のデータレコードにおける設備種別、型番、施工年月日および特記事項は、ある通信設備を特定する情報である。そこで以下ではこれらの情報をまとめて、設備情報と称することとする。
【００５１】
図７は接続情報データベース４２に記憶される接続情報の一例を示す図である。
【００５２】
この図７に示す接続情報は、通信網での通信設備の接続関係を、設備ＩＤの接続関係としてツリー型で示した情報である。
【００５３】
図８はタグＩＤ情報データベース４３の構成例を示す図である。
【００５４】
この図８に示すようにタグＩＤ情報データベース４３は、タグＩＤ、設備ＩＤ、連番、設備種別、型番、施工年月日および特記事項を記述したデータレコードの集合である。
【００５５】
設備ＩＤ、設備種別、型番、施工年月日および特記事項は、設備ＩＤ情報データベース４１に示されるのと同一の情報である。すなわちタグＩＤ情報データベース４３は、設備ＩＤ情報データベース４１に含まれるデータレコードに、タグＩＤおよび連番を対応付けたデータレコードを持つ。
【００５６】
タグＩＤは、他の情報で特定される通信設備に対して貼り付けられたＩＣタグ１に付与されているＩＤである。連番は、同一の通信設備に貼り付けられた複数のＩＣタグ１に対してその貼り付け順序を特定可能に設定された番号である。
【００５７】
次に以上のように構成された配線経路管理システムの動作につき説明する。
【００５８】
まず、この配線経路管理システムが適用される通信網の新設や変更の施工時には、事前に通信網の設計内容に基づいて、施工する通信設備に関する情報が設備ＩＤ情報データベース４１および接続情報データベース４２に投入される。
【００５９】
一方、施工者は、設計図面に従い施工を行う。設計図面は、紙に出力されたものや、設計時のＣＡＤデータを端末にて表示したもの等が想定される。ＩＣタグライタ２に、上記のＣＡＤデータを表示する端末としての機能を持たせることも可能である。なお設計図面は、設備ＩＤ情報データベース４１および接続情報データベース４２に投入する情報を作成するもとになったものであり、各通信設備の設備ＩＤが書き込まれている。
【００６０】
施工者は、施工しようとする通信設備に対してＩＣタグ１を貼り付ける。この際に施工者は、通信設備に対して貼り付ける前のＩＣタグ１、または通信設備に対して貼り付けた後のＩＣタグ１にＩＣタグライタ２を近接させて、ＩＣタグライタ２に対してタグＩＤの書き込みを指示する。
【００６１】
この指示を受けるとＩＣタグライタ２においてライタ制御部２５は、図９に示すような処理を実行する。
【００６２】
この図９の処理にてライタ制御部２５はまずステップＳＴ１において、既に使用されているタグＩＤと重複することが無いようにタグＩＤを発生する。次にライタ制御部２５はステップＳＴ２において、上記の発生したタグＩＤを示した書き込み要求を、送受信部２１を介して送信する。送受信部２１は、通信範囲が例えば１０ｃｍ程度である。従って、送受信部２１から送信された書き込み要求は、近接されているＩＣタグ１にのみ到達することになる。そして書き込み要求が到来したＩＣタグ１では、その書き込み要求がＩＣタグ制御部１２により送受信部１１を介して取得され、データテーブル部１２ａへと格納される。
【００６３】
さて施工者は、ＩＣタグ１へとタグＩＤの書き込みを行ったならば、続いてそのＩＣタグ１を貼り付ける通信設備の設備ＩＤをＩＣタグライタ２に対して指定する。そこでライタ制御部２５はステップＳＴ３において、上述の設備ＩＤの指定を受け付ける。
【００６４】
次にライタ制御部２５は、ステップＳＴ３にて指定された設備ＩＤがタグＩＤ情報データベース４３に既に記憶されている数をカウントする。そしてライタ制御部２５はステップＳＴ５において、上記カウントした数に「１」を加えて求まる数を連番情報として決定する。すなわち、ある通信設備に対して初めて貼り付けられるＩＣタグ１に関しては、その連番として「１」が設定されることになる。これに対して、既にＩＣタグ１が貼り付けられている通信設備に追加して貼り付けられるＩＣタグ１に関しては、後述するように同一の設備ＩＤを含んだデータレコードがタグＩＤ情報データベース４３に登録されているから、既に貼り付けられているＩＣタグ１の数に「１」を加えた数が連番として設定されることになる。なお、必要によりデータの削除が発生した場合には、設備ＩＤごとに削除したデータ数を保存しておく。その後、新たに作成されるタグＩＤデータで既に削除したものと同一の設備ＩＤがあるときには、設備ＩＤ数に削除したデータ数を足し合わせて、連番情報を作成する。
【００６５】
続いてライタ制御部２５はステップＳＴ６において、ステップＳＴ３にて指定された設備ＩＤに関する設備情報を設備ＩＤ情報データベース４１から取得する。そしてライタ制御部２５はステップＳＴ７において、ステップＳＴ１で発生したタグＩＤ、ステップＳＴ３で指定された設備ＩＤ、ステップＳＴ５で決定した連番およびステップＳＴ６で取得した設備情報からなるデータレコードをタグＩＤ情報データベース４３へと登録する。
【００６６】
かくして、この配線経路管理システムの導入当初にはタグＩＤ情報データベース４３にはデータレコードは全く登録されていないが、この図９の処理が行われる毎にデータレコードが登録されて行き、図８に示すようなデータベースが構築されて行く。
【００６７】
ところでＩＣタグ１は、ハブ、ルータ、コンセント、モジュラ・ジャックなどの接続設備およびＰＣ、ワークステーションなどの端末設備には１つを貼り付け、ＵＴＰ（Ｕｎｓｈｉｅｌｄｅｄ　Ｔｗｉｓｔｅｄ　Ｐａｉｒ）ケーブル、電源ケーブル、あるいは同軸ケーブルのようなケーブル類には、一定間隔（例えば５０ｃｍ間隔程度）に複数を貼り付けることを取り決めておく。また、同一のケーブルにはその長手方向に沿って、タグＩＤの書き込みが行われたタイミングが古いものから順に並ぶようにＩＣタグ１を貼り付けることを取り決めておく。
【００６８】
さて、以上のようにしてタグＩＤが書き込まれたＩＣタグ１が貼り付けられた通信設備により構成されている通信網の配線経路を特定するに当っては、施工者はＩＣタグリーダ３を用いる。
【００６９】
まず施工者は、ＩＣタグリーダ３に対して探索開始を指示する。この指示を受けるとリーダ制御部３５は、図１０に示すような処理を実行する。
【００７０】
この図１０の処理にてリーダ制御部３５はまずステップＳＴ１１において、読み取りモードが設定されているか否かを確認する。ところでＩＣタグリーダ３は、読み取りモードと一覧指定モードとを備えている。そしてこれらのモードのいずれを有効とするかは、ユーザが任意に設定することが可能となっている。
【００７１】
読み取りモードが設定されていることを確認した場合にリーダ制御部３５はステップＳＴ１２において、送受信部３１の通信モードを個別モードに設定する。この個別モードで送受信部３１は、ＩＣタグリーダ３に接触する程度まで近接されているようなＩＣタグ１とのみ通信を行える程度の距離（例えば１０ｃｍ程度）を通信距離とする。そしてこの上でリーダ制御部３５はステップＳＴ１３において、ＩＤ通知要求を送受信部３１を介して送信する。従って、このＩＤ通知要求は、ＩＣタグリーダ３が近接されているＩＣタグ１にのみ到達することになる。
【００７２】
ＩＣタグ１ではＩＤ通知要求が到来すると、ＩＣタグ制御部１２がデータテーブル部１２ａに格納してあるタグＩＤを読み込んで、このタグＩＤを示したＩＤ通知を送受信部１１を介して送信する。
【００７３】
そこでリーダ制御部３５はステップＳＴ１４において、上記のＩＤ通知を送受信部３１を介して受け、そのＩＤ通知に示されたタグＩＤを抽出する。
【００７４】
このようにして、リーダ制御部３５はＩＣタグリーダ３が近接されているＩＣタグ１のタグＩＤを読み取る。そしてリーダ制御部３５はステップＳＴ１５において、このように読み取ったタグＩＤに対応する設備ＩＤをタグＩＤ情報データベース４３を参照して取得する。
【００７５】
かくして施工者は、ＩＣタグリーダ３を読み取りモードに設定した上で、経路探索の糸口とする通信設備に貼り付けられたＩＣタグ１へとＩＣタグリーダ３を近接させた状態で探索開始を指示することで、上記通信設備に関する設備ＩＤをＩＣタグリーダ３により読み取らせることができる。
【００７６】
一方、一覧指定モードが設定されていることをステップＳＴ１１にて確認した場合にリーダ制御部３５はステップＳＴ１６において、設備ＩＤ情報データベースに記憶されている設備ＩＤ情報を取得する。そしてリーダ制御部３５はステップＳＴ１７において、設備ＩＤ情報に基づいて通信設備の一覧を表示部３３に表示させる。
【００７７】
続いてリーダ制御部３５はステップＳＴ１８において、一覧表示してある通信設備のうちの１つの選択指定を受け付ける。そしてリーダ制御部３５はステップＳＴ１９において、上記選択指定された通信設備に関する設備ＩＤを取得する。
【００７８】
かくして施工者は、一覧指定モードを設定しておけば、経路探索の糸口となる通信設備にＩＣタグリーダ３を近接させることができない場合や、あるいは経路探索により発見しようとする通信設備がある場合に、それらの通信設備を一覧からの選択により指定することができる。
【００７９】
以上のようにしてステップＳＴ１５またはステップＳＴ１９で設備ＩＤが取得できたならば、続いてリーダ制御部３５はステップＳＴ２０において、先ほど取得した設備ＩＤに関連する接続情報を取得する。このとき接続情報のツリー構造はそのまま保持しておく。続いてリーダ制御部３５はステップＳＴ２１において、上記取得した接続情報における設備ＩＤをそれぞれタグＩＤに書き換える。すなわちリーダ制御部３５は、上記取得した接続情報に含まれる設備ＩＤのそれぞれについて、その設備ＩＤにタグＩＤ情報データベース４３にて対応付けられているタグＩＤを特定し、このタグＩＤで設備ＩＤを書き換える。１つの設備ＩＤに複数のタグＩＤが対応付けられている場合には、その複数のタグＩＤを連番情報に従って一列に並べたツリー構造のデータを作成して、このデータにより該当する設備ＩＤを書き換える。これによりタグＩＤの接続ツリー情報が作成される。
【００８０】
続いてリーダ制御部３５はステップＳＴ２２において、上述のタグＩＤの接続ツリー情報における各タグＩＤを、設備種別および連番情報に置き換えたツリー構造を表わしたツリー図を作成し、これを表示部３３に表示させる。すなわちリーダ制御部３５は、各タグＩＤに対応する設備種別および連番情報をタグＩＤ情報データベース４３からそれぞれ取得し、これを各タグＩＤに置き換えることで設備種別および連番情報の接続ツリー情報を得、それを表わしたツリー図を表示させるのである。なお、入力部３４により施工者が上記ツリー図に示される通信設備のいずれかを指定した場合、リーダ制御部３５は指定された通信設備に対応するタグＩＤに基づいて設備ＩＤ、連番情報、設備種類、型番、施工年月日、特記事項等のデータを表示部３３に表示させる。
【００８１】
施工者はこのツリー図を見ることによって、ステップＳＴ１２乃至ステップＳＴ１５またはステップＳＴ１６乃至ステップＳＴ１９にて指定した通信設備に関する接続状態を確認することが可能となる。
【００８２】
この後にリーダ制御部３５はステップＳＴ２３において、送受信部３１の通信モードを探索モードに設定する。この探索モードで送受信部３１は、個別モードのときよりも大きい探索距離（例えば１〜２ｍ程度）を通信距離とする。そしてこの上でリーダ制御部３５はステップＳＴ２４において、ＩＤ通知要求を送受信部３１を介して送信する。従って、このＩＤ通知要求は、上記探索距離を半径とする探索範囲内に位置する全てのＩＣタグ１に到達することになる。
【００８３】
ＩＣタグ１ではＩＤ通知要求が到来すると、ＩＣタグ制御部１２がデータテーブル部１２ａに格納してあるタグＩＤを読み込んで、このタグＩＤを示したＩＤ通知を送受信部１１を介して送信する。
【００８４】
そこでリーダ制御部３５はステップＳＴ２５において、上記のＩＤ通知を送受信部３１を介して受け、それらのＩＤ通知に示されたタグＩＤをそれぞれ抽出する。なお、このときにＩＣタグリーダ３は複数のＩＣタグ１と１対多での無線通信を行うことがある。それに対処するための多元接続方式としては、ＦＤＭＡ（Ｆｒｅｑｕｅｎｃｙ　Ｄｉｖｉｓｉｏｎ　Ｍｕｌｔｉｐｌｅ　Ａｃｃｅｓｓ）、ＴＤＭＡ（Ｔｉｍｅ　Ｄｉｖｉｓｉｏｎ　Ｍｕｌｔｉｐｌｅ　Ａｃｃｅｓｓ）、ＣＤＭＡ（Ｃｏｄｅ　Ｄｉｖｉｓｉｏｎ　Ｍｕｌｔｉｐｌｅ　Ａｃｃｅｓｓ）、あるいはＣＳＭＡ／ＣＤ（Ｃａｒｒｉｅｒ　Ｓｅｎｓｅ　Ｍｕｌｔｉｐｌｅ　Ａｃｃｅｓｓ　ｗｉｔｈ　Ｃｏｌｌｉｓｉｏｎ　Ｄｅｔｅｃｔｉｏｎ）などのような技術を利用できる。
【００８５】
続いてリーダ制御部３５はステップＳＴ２６において、上記の抽出したタグＩＤに基づいて探索結果の通知処理を行う。具体的には、例えばリーダ制御部３５は、上記抽出したタグＩＤとツリー図で示されている各ＩＣタグ１のタグＩＤとを比較する。そしてリーダ制御部３５は、一致するタグＩＤに関するＩＣタグ１に付いてのツリー図での表示を、例えば表示色の反転や点滅等により判別可能とする。また、ブザー等の可聴音で施工者に伝える。
【００８６】
かくして、施工者は上記の探索結果の通知処理により、ツリー図に示されるＩＣタグ１のうちで実際に現在の探索範囲内に存在するＩＣタグ１がいずれであるかを確認することができる。
【００８７】
リーダ制御部３５はステップＳＴ２７において、施工者により終了指示がなされたか否かを確認する。そしてリーダ制御部３５は、ここで終了指示がなされたことを確認できるまでステップＳＴ２４乃至ステップＳＴ２７の処理を繰り返す。
【００８８】
かくして、施工者は、ＩＣタグリーダ３を持って移動しながら、ＩＣタグリーダ３による上記の探索結果通知を確認することで、経路を探索し、特定設備を発見することが可能となる。
【００８９】
またこの第１実施形態によれば、通信設備の接続関係のみを管理するから、通信設備の配置場所や配線経路が設計と異なっていても何ら問題はなく、後に配線経路を簡易に探索することが可能である。
【００９０】
また、ＩＣタグ１に基づいての通信設備の検出結果と接続情報による通信設備の使用状況とから、未使用であるにも拘らずに残置されているような通信設備を容易に特定することが可能である。この結果、そのような通信設備を撤去することで、通信設備の収容空間の無駄な占有を解消することができる。
【００９１】
また、配線の保守や故障修理を行う場合に、通信設備の場所、経路を確実に特定できることから、その作業を短時間のうちに終了することが可能となり、迅速な障害復旧を図ることが可能となる。
【００９２】
（第２の実施形態）
第２実施形態に係る配線経路管理システムの構成は前述の第１実施形態とほとんど同様である。しかし第２実施形態では、ＩＣタグリーダ３に代えて、以下に説明するＩＣタグリーダ５を用いる。
【００９３】
図１１はＩＣタグリーダ５のブロック図である。なお、図４と同一部分には同一符号を付し、その詳細な説明は省略する。
【００９４】
この図１１に示すようにＩＣタグリーダ５は、データベースアクセス部３２、表示部３３、入力部３４、送受信部５１、方位・距離検出部５２およびリーダ制御部５３を有している。そしてこれらの各部はバス接続されている。
【００９５】
送受信部５１は、指向性が高く、かつ指向方向を変更可能なアンテナを有する。そして送受信部５１は、アンテナの指向方向を変化させつつ、ＩＣタグ１と無線通信を行う。
【００９６】
方位・距離検出部５２は、ＩＣタグ１から送信されたＩＤ通知が送受信部５１で受信された際のアンテナの指向方向に基づいて、上記のＩＤ通知を送信したＩＣタグ１が位置する方位を検出する。方位・距離検出部５２は、電波の応答速度に基づいて上記のＩＤ通知を送信したＩＣタグ１までの距離を検出する。
【００９７】
リーダ制御部５３は、例えばマイクロコンピュータを主体としてなる。リーダ制御部５３は予め組み込まれているプログラムに基づく処理を行うことで、タグＩＤ収集部５３ａおよび探索結果通知制御部５３ｂとして機能する。
【００９８】
タグＩＤ収集部５３ａは、所定の探索範囲内に存在する全てのＩＣタグ１からタグＩＤを収集する。なおタグＩＤ収集部５３ａはタグＩＤの収集を行うに当り、送受信部５１での指向方向を変化させる制御も行う。そして探索結果通知制御部５３ｂは、タグＩＤ収集部５３ａにより収集されたタグＩＤと、方位・距離検出部５２により検出された方位および距離に基づいて探索範囲内に存在する通信設備とその位置を特定し、それをユーザに通知するための処理を行う。
【００９９】
次に以上のように構成された配線経路管理システムの動作につき説明する。
【０１００】
通信網の施工時における動作は、第１実施形態と同様である。
【０１０１】
一方、タグＩＤが書き込まれたＩＣタグ１が貼り付けられた通信設備により構成されている通信網の配線経路を特定するに当っては、施工者はＩＣタグリーダ５を用いる。
【０１０２】
まず施工者は、ＩＣタグリーダ５に対して探索開始を指示する。この指示を受けるとリーダ制御部５３は、図１２に示すような処理を実行する。
【０１０３】
この図１２の処理にてリーダ制御部５３はまずステップＳＴ３１において、送受信部３１の通信モードを探索モードに設定する。この上でリーダ制御部５３はステップＳＴ３２において、ＩＤ通知要求の送信を開始するとともに送受信部５１での指向方向の走査を開始させる。すなわち、送受信部５１での指向方向を徐々に変化させながら、ＩＤ通知要求の送信を行う状態を設定する。
【０１０４】
そしてこの状態でリーダ制御部５３はステップＳＴ３３およびステップＳＴ３４において、１周（３６０度）分の走査が完了するか、あるいはＩＤ通知が到来するのを待ち受ける。
【０１０５】
さて、この状態にあるときにＩＣタグ１から送信されたＩＤ通知が到来し、そのことをステップＳＴ３４にて確認したならば、リーダ制御部５３はステップＳＴ３５において、上記のＩＤ通知を送受信部５１を介して受け、そのＩＤ通知に示されたタグＩＤを抽出する。またこの場合にリーダ制御部５３はステップＳＴ３６において、上記のＩＤ通知に関して検出された距離情報および方位情報を方位・距離検出部５２から取得する。そしてリーダ制御部５３はステップＳＴ３７において、ステップＳＴ３５で抽出したタグＩＤと、ステップＳＴ３６で取得した距離情報および方位情報とからなるデータレコードをリストに追加する。このステップＳＴ３５乃至ステップＳＴ３７の処理を繰り返すことで、探索範囲内に存在するＩＣタグ１のタグＩＤが収集され、そのタグＩＤに距離情報および方位情報を付加してなるデータレコードのリストが作成される。
【０１０６】
走査方向を１周分走査させ終え、そのことをステップＳＴ３３にて確認したならばリーダ制御部５３はステップＳＴ３８において、通知要求の送信を停止するとともに送受信部５１での指向方向の走査を停止させる。
【０１０７】
こののちにリーダ制御部５３はステップＳＴ３９において、タグＩＤ情報データベース４３にアクセスし、上述のリストに示される各タグＩＤに関する設備ＩＤ、連番情報および設備情報を取得する。そしてリーダ制御部５３はステップＳＴ４０において、各タグＩＤ、設備ＩＤ、連番情報、設備情報、距離情報および方位情報からなるデータレコードのリストを生成する。次にリーダ制御部５３はステップＳＴ４１において、このリストに含まれるデータレコードを、同一の設備ＩＤを持つものどうしでグループ化し、さらにこのグループ内で連番情報をもとにソートする。
【０１０８】
続いてリーダ制御部５３はステップＳＴ４２において、上記のリストに含まれる設備ＩＤのリストを生成する。そしてリーダ制御部５３はステップＳＴ４３において、上記の設備ＩＤのリストから未選択である設備ＩＤを１つ選択する。その後にリーダ制御部５３はステップＳＴ４４において、接続情報データベース４２にアクセスし、ツリー状の情報の中で上述の選択した設備ＩＤの直前にある設備ＩＤを取得し記憶しておく。次にリーダ制御部５３はステップＳＴ４５において、設備ＩＤのリストに未選択である設備ＩＤが有るか否かを確認する。そして未選択の設備ＩＤが有ることを確認した場合、リーダ制御部５３はステップＳＴ４３乃至ステップＳＴ４５の処理を繰り返す。この結果、設備ＩＤのリストに含まれる全ての設備ＩＤに関して、その直前にある設備ＩＤが取得され、記憶される。
【０１０９】
未選択の設備ＩＤが無いことをステップＳＴ４５にて確認した場合、リーダ制御部５３はステップＳＴ４６において、先ほど記憶した直前にある設備ＩＤと、設備ＩＤのリストに含まれる設備ＩＤとに基づいて接続ツリー情報を生成する。具体的には、リーダ制御部５３は、先ほど記憶した直前にある設備ＩＤと、設備ＩＤのリストに含まれる設備ＩＤとを比較し、一致するものがあれば、その関係をルートリストとしてツリー状のデータで保存する。さらにリーダ制御部５３は、直前にある設備ＩＤがツリー状のデータ内にあれば、その後方に新たなノードとして設備ＩＤを接続する。またリーダ制御部５３は、直前にある設備ＩＤとリストの設備ＩＤとが一致しないときには、新たなツリー状のデータとして保存する。ステップＳＴ４６においてリーダ制御部５３は、この作業をリスト上の設備ＩＤの全てに関して行う。その後、全てのツリー状のデータのうちにノードが一致しているものがあれば、一致している部分を重ねてツリーを結合する。この結果、設備ＩＤの接続ツリー情報が生成される。
【０１１０】
続いてリーダ制御部５３はステップＳＴ４７において、上述の設備ＩＤの接続ツリー情報をタグＩＤの接続ツリー情報に変換する。すなわち、接続ツリー情報における各設備ＩＤを、ステップＳＴ４１でソートした後のリストにおける同一設備のタグＩＤをそのリストでの順番で一列につなげたものに置き換える。
【０１１１】
この後にリーダ制御部５３はステップＳＴ４８において、ステップＳＴ４０で生成したリストの情報と上記のタグＩＤの接続ツリー情報とに基づいて探索結果の通知処理を行う。具体的には、例えばリーダ制御部５３は、ステップＳＴ４０で生成したリストに含まれる各タグＩＤをその距離情報および方位情報に基づいてＩＣタグリーダ５を基準とした座表系に配置するとともに、各タグＩＤを上記の接続ツリー情報に示される接続関係で直線で結んだ画像を生成し、この画像を表示部３３に表示させる。
【０１１２】
リーダ制御部５３はステップＳＴ４９において、施工者により終了指示がなされたか否かを確認する。そしてリーダ制御部５３は、ここで終了指示がなされたことを確認できるまでステップＳＴ３３乃至ステップＳＴ４９の処理を繰り返す。
【０１１３】
かくして、施工者は、ＩＣタグリーダ５を持って移動しながら、ＩＣタグリーダ５による上記の探索結果通知を確認することで、探索範囲内に位置する通信設備に関する接続関係を確認することができる。そしてこれにより、第１実施形態と同様な効果を達成できる。
【０１１４】
さらに第２実施形態では、施工者は、現在位置から探索範囲内に位置する通信設備の位置を現在位置に対する相対的な位置として確認することができる。これにより施工者は、通信設備の位置をより簡単、かつ詳細に確認することが可能である。
【０１１５】
（第３の実施形態）
第３実施形態に係る配線経路管理システムの構成は前述の第２実施形態とほとんど同様である。しかし第３実施形態では、ＩＣタグリーダ５に代えて、以下に説明するＩＣタグリーダ６を用いる。
【０１１６】
図１３はＩＣタグリーダ６のブロック図である。なお、図４および図１１と同一部分には同一符号を付し、その詳細な説明は省略する。
【０１１７】
この図１３に示すようにＩＣタグリーダ６は、データベースアクセス部３２、表示部３３、入力部３４、送受信部５１、方位・距離検出部５２、自己方位検出部６１およびリーダ制御部６２を有している。そしてこれらの各部はバス接続されている。
【０１１８】
自己方位検出部６１は、ジャイロなどを用いてなり、ＩＣタグリーダ６における所定の基準線が向く方位を検出する。
【０１１９】
リーダ制御部６２は、例えばマイクロコンピュータを主体としてなる。リーダ制御部６２は予め組み込まれているプログラムに基づく処理を行うことで、タグＩＤ収集部５３ａおよび探索結果通知制御部６２ａとして機能する。
【０１２０】
探索結果通知制御部６２ａは、タグＩＤ収集部５３ａにより収集されたタグＩＤと、方位・距離検出部５２により検出された方位および距離と、自己方位検出部６１により検出された自己方位とに基づいて探索範囲内に存在する通信設備とその位置を特定し、それをユーザに通知するための処理を行う。
【０１２１】
次に以上のように構成された配線経路管理システムの動作につき説明する。
【０１２２】
通信網の施工時における動作は、第１実施形態と同様である。ただし、フロア図面情報データベース４４には、各情報について方位が示された例えばＣＡＤのデータが予め投入されている。
【０１２３】
また、探索に際してのリーダ制御部６２の処理は、基本的には図１２に示すリーダ制御部５３の処理と同様である。
【０１２４】
この第３実施形態の動作において特徴となるところは、図１２の処理におけるステップＳＴ４８の探索結果通知処理の詳細にある。
【０１２５】
図１４はその探索結果通知処理のフローチャートである。
【０１２６】
この図１４の処理にてリーダ制御部６２はまずステップＳＴ５１において、自己方位検出部６１から自己方位情報を取得する。次にリーダ制御部６２はステップＳＴ５２において、フロア図面情報データベース４４にアクセスし、フロア図面情報を取得する。続いてリーダ制御部６２はステップＳＴ５３において、上記のフロア図面情報からこのフロア図面の方位情報を抽出し、その方位情報に基づいて自己方位に対するフロア図面方位のずれ量を算出する。そしてリーダ制御部６２はステップＳＴ５４において、上記算出したずれ量を補償するようにフロア図面を例えば図１５に示すように回転させる。さらにリーダ制御部６２はステップＳＴ５５において、上記の回転させたフロア図面に第２実施形態の時と同様にして生成した設備図面を合成した上で表示部３３に表示させる。
【０１２７】
かくして、施工者は、ＩＣタグリーダ５を持って移動しながら、ＩＣタグリーダ５による上記の探索結果通知を確認することで、現在位置から探索範囲内に位置する通信設備に関する接続関係を確認することができる。そしてこれにより、第１実施形態と同様な効果を達成できる。
【０１２８】
さらに第３実施形態では、施工者は、探索範囲内に位置する通信設備の位置を、フロア図面上で具体的に確認することができる。これにより施工者は、第２実施形態よりもさらに簡単、かつ詳細に通信設備の位置を確認することが可能である。
【０１２９】
なお、本発明は前記各実施形態に限定されるものではない。例えば前記各実施形態では、ＩＣタグライタ２やＩＣタグリーダ３，５，６は、汎用のパーソナルコンピュータを利用して実現することも可能である。すなわち、汎用のパーソナルコンピュータにＩＣタグと通信するための無線ユニットを装着するとともに、ライタ制御部２５やリーダ制御部３５，５３，６２が持つ機能をパーソナルコンピュータに実現させるためのソフトウェアをインストールする。このためのソフトウェアは、ＣＤ−ＲＯＭなどの記憶媒体や、インターネットなどのネットワークを介しての配布が考えられる。
【０１３０】
前記各実施形態では、ＩＣタグライタ２とＩＣタグリーダ３、５または６とを単一の端末として実現することも可能である。この場合、この端末に配線管理用データベースを搭載することも可能である。
【０１３１】
前記各実施形態では、事前にタグＩＤが書き込まれたＩＣタグ１を用いるようにしても良い。
【０１３２】
前記各実施形態では、タグＩＤ情報データベース４３で記憶される設備情報は、例えば個々の通信設備に対して付与した固有の名称や製造年月日などのような他の情報を含むこととしても良いし、あるいは図８に示すような各情報を含んでいなくても良い。要するに設備情報は、通信設備に関してユーザ（施工者）が何らかの識別を行なうことができるものであれば良いのであり、その内容は任意である。
【０１３３】
前記各実施形態では、探索結果の通知の形態は任意に変更が可能である。例えばツリー図ではなく一覧表などのような別の形態の表示を行うようにしても良いし、あるいは音声メッセージの出力などのような可視表示以外の形態での通知動作を行うことも可能である。
【０１３４】
前記第１実施形態においても、前記第２実施形態のように距離および方位の検出を行って、その検出結果を通知することも可能である。さらにはその場合には、前記第３実施形態のような探索結果通知処理を行うことも可能である。
【０１３５】
前記第２実施形態および前記第３実施形態においても、前記第１実施形態のように通信設備の指定を受け付けて、指定された通信設備に対応するＩＣタグ１が表示対象となっているならば、その表示を表示色の反転や点滅等により判別可能とすることも可能である。
【０１３６】
このほか、本発明の要旨を逸脱しない範囲で種々の変形実施が可能である。
【０１３７】
【発明の効果】
本発明によれば、第１ＩＤ受信手段を基準とする第１通信範囲内に存在するタグを無線通信を利用して検出し、このタグと通信設備との対応関係から上記の第１通信範囲内に存在する通信設備を判定してユーザに通知することとしたので、ユーザは、この通知に基づいて第１通信範囲内に存在する通信設備を認識することができ、ユーザが第１ＩＤ受信手段を移動させながら第１通信範囲内に存在する通信設備の変化を監視することにより、通信設備の配置状況、すなわち配線経路を実際に通信設備を目視することなしに特定することができる。この結果、配線設備の経路の特定を容易かつ正確に行うことが可能となる。
【図面の簡単な説明】
【図１】第１実施形態に係る配線経路管理システムの概要を示す図。
【図２】ＩＣタグ１のブロック図。
【図３】ＩＣタグライタ２のブロック図。
【図４】ＩＣタグリーダ３のブロック図。
【図５】配線管理用データベース４の構成を模式的に示す図。
【図６】設備ＩＤ情報データベース４１の構成例を示す図。
【図７】接続情報データベース４２に記憶される接続情報の一例を示す図。
【図８】タグＩＤ情報データベース４３の構成例を示す図。
【図９】ライタ制御部２５の処理のフローチャート。
【図１０】リーダ制御部３５の処理のフローチャート。
【図１１】ＩＣタグリーダ５のブロック図。
【図１２】リーダ制御部５３の処理のフローチャート。
【図１３】ＩＣタグリーダ６のブロック図。
【図１４】リーダ制御部６２の処理のフローチャート。
【図１５】回転されたフロア図面の様子の一例を示す図。
【符号の説明】
１…ＩＣタグ
２…タグライタ
３，５，６…タグリーダ
４…配線管理用データベース
１１…送受信部
１２…タグ制御部
１２ａ…データテーブル部
１２ｂ…書き込み指示取得部
１２ｃ…データ書き込み部
１２ｄ…ＩＤ送信部
１３…電源部
２１，３１，５１…送受信部
２２，３２…データベースアクセス部
２３，３３…表示部
２４，３４…入力部
２５…ライタ制御部
２５ａ…タグＩＤ生成部
２５ｂ…書き込み指示制御部
２５ｃ…設備情報取得部
２５ｄ…設備情報登録部
３５，５３，６２…リーダ制御部
３５ａ…特定タグＩＤ読取部
３５ｂ…設備ＩＤ指定受付部
３５ｃ…タグＩＤ収集部
３５ｄ…探索結果通知制御部
４１…設備ＩＤ情報データベース
４２…接続情報データベース
４３…タグＩＤ情報データベース
４４…フロア図面情報データベース
５２…方位・距離検出部
５３ａ…タグＩＤ収集部
５３ｂ…探索結果通知制御部
６１…自己方位検出部
６２ａ…探索結果通知制御部
Ｃ１，Ｃ２，Ｃ３，Ｃ４…ケーブル
Ｈ１，Ｈ２，Ｈ３…ハブ
【図１】
2004038583.tif 000003
【図２】
2004038583.tif 000004
【図３】
2004038583.tif 000005
【図４】
2004038583.tif 000006
【図５】
2004038583.tif 000007
【図６】
2004038583.tif 000008
【図７】
2004038583.tif 000009
【図８】
2004038583.tif 000010
【図９】
2004038583.tif 000011
【図１０】
2004038583.tif 000012
【図１１】
2004038583.tif 000013
【図１２】
2004038583.tif 000014
【図１３】
2004038583.tif 000015
【図１４】
2004038583.tif 000016
【図１５】
2004038583.tif 000017